(57)【特許請求の範囲】
【請求項１】
便器本体と、前記便器本体上に配置され、かつ、開閉自在に取り付けられた便座と、前記便座上に配置され、かつ、開閉自在に取り付けられた便蓋とからなる洋式便器に取り付けられる取手構造体であって、
前記便蓋の外周縁部に取り付けることができると共に、前記便蓋と前記便座とを開いた状態での使用を示す第１の表示と前記便蓋のみ開いた状態での使用を示す第２の表示とが目視できるように表示された取付手段と、
前記取付手段に保持され、その位置が変化し得る取手と、
前記取手に接続され、かつ、前記取手の位置の変化と連動してほぼ水平方向に移動する係止片と、
前記取付手段にその軸方向回りに回動自在に保持され、かつ前記軸方向が前記便座の下面に対してほぼ直交する棒状体とを備え、
前記取手は、前記棒状体の上方端側に固定され、前記係止片は前記棒状体の下方端側に固定されると共に、前記係止片の上面は、その外周縁から前記棒状体の軸に向かって上方に傾斜し、
前記取手が前記第１の表示に対応した第１の位置にあるとき、前記係止片は前記便座の下面に係合し、前記取手が前記第２の表示に対応した第２の位置にあるとき、前記係止片の前記係合が解除される、取手構造体。
【請求項２】
前記取付手段は、
前記便蓋の上面に設置し得る第1取付板と、
前期便蓋の下面に設置し得る第2取付板と、
前記第１取付板と前記第２取付板とに掛け渡され、これらを密着させる方向に締め付けることができる締付手段とからなり、
前記棒状体は、前記第１取付板に保持されると共に、前記第１の表示及び前記第２の表示は前記第１取付板の上面に表示される、請求項１に記載の取手構造体。
【発明の詳細な説明】
【０００１】
【発明の属する技術分野】
この発明は取手構造体および洋式便器に関し、特に従来からある洋式便器の便蓋と便座の開閉に用いられる取手構造体および便蓋と便座の開閉に用いる取手を備えた洋式便器に関するものである。
【０００２】
【従来の技術】
図６は従来の洋式便器１の斜視図である。
【０００３】
図を参照して、洋式便器１は、便器本体２と便座３と便蓋４とから構成され、便器本体２上に便座３が配置され、さらにその上に便蓋４が配置されている。便座３と便蓋４は便器本体２の縁部の一部に開閉自在に取り付けられている。また、洋式便器１は、便座３と便蓋４を閉じた状態でも便器本体２と便座３との間、および便座３と便蓋４との間に隙間が生じている。
【０００４】
洋式便器２を使用していないときは、便座３と便蓋４が共に閉じられた状態で置かれる。一方、使用するときは、使用姿勢に応じて便蓋４と便蓋４及び便座３とを選択的に開ける。つまり、着座姿勢で使用するときは、便蓋４のみを開け、立位姿勢で使用するときは、便蓋４と便座３を共に開ける。
【０００５】
【発明が解決しようとする課題】
上記のように、従来の洋式便器では、使用時には、便蓋４や便座３を開閉する必要がある。便蓋４を開けるには、便蓋４と便座３の間に生じた隙間に指を入れ、便蓋４を持ち上げるようにする。逆に、便蓋４を閉じるときは便蓋４の外周部分を持って手前に引くようにする。一方、便座３も開けるときは、便器本体２と便座３の間に生じた隙間に指を入れ、便座を持ち上げるようにすると便蓋４も同時に開けることができる。逆に閉めるときは、便蓋４と便座３を持って手前に引くようにする。
【０００６】
ところが、便蓋４や便座３を開けるときに、便座３や便蓋４を直接触るので衛生上問題がある。特に、便座３の下面は、着座姿勢での使用時に便器本体２内部で汚水が飛沫し、汚れることが多い。便座３を開けるときは、この汚れた下面を触ることになる。
【０００７】
しかし、上記記載の問題に対処するための対策は、特に取られておらず我慢して使用しているのが現状である。
【０００８】
この発明は、上記のような課題を解決するためになされたもので、便蓋や便座に直接触れることなくこれらを開閉することができ、さらに使用時の姿勢に応じて便蓋と便座を選択的に開閉させることが容易にできる取手構造体を提供することを目的とする。
【０００９】
【課題を解決するための手段】
上記の目的を達成するために、請求項１の発明は、便器本体と、便器本体上に配置され、かつ、開閉自在に取り付けられた便座と、便座上に配置され、かつ、開閉自在に取り付けられた便蓋とからなる洋式便器に取り付けられる取手構造体であって、便蓋の外周縁部に取り付けることができると共に、便蓋と便座とを開いた状態での使用を示す第１の表示と便蓋のみ開いた状態での使用を示す第２の表示とが目視できるように表示された取付手段と、取付手段に保持されその位置が変化し得る取手と、取手に接続され、かつ、取手の位置の変化と連動してほぼ水平方向に移動する係止片と、取付手段にその軸方向回りに回動自在に保持され、かつ軸方向が便座の下面に対してほぼ直交する棒状体とを備え、取手は、棒状体の上方端側に固定され、係止片は棒状体の下方端側に固定されると共に、係止片の上面は、その外周縁から棒状体の軸に向かって上方に傾斜し、取手が第１の表示に対応した第１の位置にあるとき、係止片は便座の下面に係合し、取手が第２の表示に対応した第２の位置にあるとき、係止片の係合が解除されるものである。
【００１０】
このように構成すると、取手を操作してその位置を第１の表示又は第２の表示に対応させて変化させることによって、係止片を便座に係合させたり、または係合を解除させることができる。又、係止片は、取手によって与えられる棒状体の回転運動に応じて便座に係合し、または係合が解除される。更に、棒状体の回転位置によって係止片の上面の、便座の下面に対する当接程度が変化する。
【００１５】
請求項２の発明は、請求項１に記載の発明の構成において、取付手段は、便蓋の上面に設置し得る第１取付板と、便蓋の下面に設置し得る第２取付板と、第１取付板と第２取付板とに掛け渡され、これらを密着させる方向に締め付けることができる締付手段とからなり、棒状体は、第１取付板に保持されると共に、第１の表示及び第２の表示は第１取付板の上面に表示されるものである。
【００１６】
このように構成すると、棒状体を第１取付板に保持した状態で洋式便器の便蓋に取手構造体を容易に取付けることができる。又、第１の表示又は第２の表示と取手との対応関係が明確になる。
【００１９】
【発明の効果】
以上説明したように、請求項１の発明は、取手を第１の表示に対応した第１の位置にすると、係止片が便座に係合するため、取手を引き上げると便蓋および便座が同時に開くことができる。逆に閉じるときも、取手を持って便蓋を閉じれば便座も同時に閉じることができる。一方、取手を第２の表示に対応した第２の位置にすると、係合が解除されるため、取手を引き上げると便蓋のみを開くことができる。逆に閉じるときも、取手を持って便蓋を閉じることができる。すなわち便蓋や便座を直接触ることなく、取手を各表示に対応させるだけで、迷うことなくこれらを自在に選択して開閉することができるため使い勝手が良い。又、棒状体の回転運動に伴う係止片と便座との当接の程度が変化するため、取手が所定の位置で確実に止まると共に、係止片の便座との係合状態が不用意に外れることがないため使用に安定感がある。
【００２２】
請求項２の発明は、請求項１に記載の発明の効果に加えて、第１取付板と第２取付板とを締付手段で締めるだけで取り付けることができるため、簡単に着脱できて使い勝手が良い。又、各表示と取手との位置関係がより目視しやすくなるため使い勝手がより向上する。
【００２４】
【発明の実施の形態】
図１はこの発明の第１の実施の形態による取手構造体を洋式便器に取り付けた状態を示す斜視図であり、図２は図１で示した取手構造体付近を拡大した斜視図であり、図３は図２のＩＩＩ−ＩＩＩラインの断面図である。
【００２５】
これらの図を参照して、取手構造体６は、上方から便蓋４の上面の外周縁部に当接する第１固着部１１と第１固着部１１の側辺に段差をつけて設けられ便蓋４の縁部から外方に突出する第１接合部９とからなる第１取付板７と、便蓋４の下面の外周縁部に当接する第２固着部１２と第２固着部１２の側辺に段差をつけて設けられ便蓋４の縁部から外方に突出する第２接合部１０とからなる第２取付板８と、第１接合部９と第２接合部１０とに掛け渡され、これらを密着させる方向に締め付けることができるボルト１４ａ、１４ｂおよびナットと第１接合部９のほぼ中央部にその軸方向が便座３の下面に対しほぼ垂直に保持された棒状体１７と、棒状体１７の上方端側に固定された円筒形の取手１６と、棒状体１７の下方端側に固定された係止片１８とから構成されている。
【００２６】
尚、棒状体１７は、棒状体１７の軸方向に移動せず、その軸方向周りに回動するように、第１接合部９に保持されている。又、棒状体１７の一端側に固定された取手１６の軸は、棒状体１７の軸に直交している。更に、係止片１８は、くさび形であり、その厚みのある一端側は、棒状体１７の他端側に固定されている。すなわち、係止片１８の上面は、その外周縁から棒状体１７の軸に向かって上方に傾斜する。又、第２接合部の縁部の中ほどに棒状体１７の回動を阻止しない大きさの切欠き１３が設けられている。更に、第２固着部１２の上面にはゴム板１９が貼り付けられている。
【００２７】
ここで、取手構造体６の便蓋４への取り付け方について説明する。取手構造体６の取付は、固着部１２をゴム板１９が便蓋４の下面に接触するように便蓋４の外周縁部に取り付け、第２接合部１０を便蓋４から外方に突出させておく。次に便蓋４の上面の外周縁部で第２固着部１２に対向する位置に第１固着部１１を設置する。このとき第１接合部９に保持された棒状体１７は、第２接合部１０に設けられた切欠き１３に側面から通すようにする。更に、この状態で第１接合部９と第２接合部１０に設けられた貫通孔にボルト１４ａ，１４ｂを通しナット１５ａ，１５ｂ（図示せず）で締め付けることで取手構造体６は、便蓋４を挟むようにして強固に取付けられる。このように、第２接合部１０に設けられた切欠き１３によって、棒状体１７の端側に固定した取手１６や係止片１８を外すこと無しに、取手構造体６の取付け又は取外しができる。
【００２８】
上記のようにして取手構造体６を便蓋４に取り付ければ、取手１６は便蓋４の外周より突出するようになる。更に係止片１８の先端は、便器本体２と便座３との間にできる隙間２１に対してほぼ同じ高さになるように調整されている。又、図示するように、取手１６が第１固着部１１の上面に表示された“大”の表示を指向する第１の位置にあるとき、係止片１８は便器本体２と便座３との間にできる隙間２１の外方に位置するように設定されている。
【００２９】
この状態で取手１６を握り上方に持ち上げる動作を行うと便蓋４のみが持ち上がり、便蓋４のみを開けることができる。一方、閉じるときも取手１６を握り手前に引く動作を行うと便蓋４を閉じることができる。すなわち、使用者は便蓋４に直接触れることなく、便蓋４の開閉ができる。
【００３０】
図４は図２に対応した図であって取手構造体の取手の位置を第２の位置に変えたときの斜視図であり、図５は図４のＶ−Ｖラインの断面図である。
【００３１】
図を参照して、取手１６の位置を図２に示した第１の位置から図４に示すように取手１６が第１固着部１１の上面に表示された“小”の表示を指向する第２の位置の方向に移動させると、棒状体１７が回転し、棒状体１７の他端側に固定された係止片１８も連動して回転する。係止片１８の回転は、棒状体１７の軸を中心としてするため、厚みの薄い方の先端側が大きく回転移動する。この回転移動によって便器本体２と便座３との間にできた隙間２１に、係止片１８の一部が入り込む。この回転を続けると係止片１８のくさび形の形状により係止片１８の上面と便座３の下面が当接する。この当接で回転が規制され、取手１６は図で示した第２の位置で止まる。
【００３２】
この状態で取手１６を握り上方に持ち上げる動作を行うと、その力は、棒状体１７と係止片１８を介して便蓋４の下面に伝わる。このため、便蓋４は係止片１８によって持ち上げられ、便蓋４と便座３とが一体化され同時に開く。一方、閉じるときも取手１６を握り手前に引く動作を行うと便座３と便蓋４を同時に閉めることができる。すなわち、使用者は便蓋４または便座３に直接触れることなく便蓋４と便座３の開閉ができる。また、取手の位置を第２の位置から第１の位置に移動させると、図２で示した状態に戻って便座３の係合が解除される。
【００３３】
尚、上記の実施の形態において、係止片１８は、くさび形の物を用いているが、上面が棒状体１７の軸方向に向かって上方に傾斜していれば良い。たとえば、一定厚さの板状物を棒状体１７の軸方向に向かって上方に傾斜するように固定してもよい。
【００３４】
又、第１取付板７と第２取付板８とで便蓋４を挟み込むことによって取手構造体１６の取付手段を構成しているが、取付手段は便蓋４に強固に固定できるものであればよく、繰り返し着脱できなくてもよい。たとえば、第２取付板を使用せず、接着剤や両面粘着テープ等で便蓋４に第１取付板を貼り付けて固定してもよい。
【００３５】
更に、第１取付板７と第２取付板８とを締め付ける締付手段は、ボルト１４とナット１５を用いているが、これに代えて、たとえば、第１接合部９と第２接合部１０とをバネを組み込んだヒンジで結合させ、バネの弾性力で第１固着部１１と第２固着部１２とで便蓋４を挟み込むようなクリップ型でもよい。
【００３６】
更に、棒状体１７は第１取付板７によって保持されているが、取手１６の操作ができるように保持されていればよいので、たとえば、第２取手板８で保持してもよく、又は第１取手板７と第２取手板８とで保持してもよい。
【００３７】
更に、取手構造体６を洋式便器１に取付けたが、取手構造体６は使用する時に便蓋４と一体となっていればよいので、たとえば、便蓋４の外周縁部に第１取付板７に第１接合部９に相当する板状のベース体を突出させ、ベース体に上記の実施の形態による棒状体１７を保持させてもよい。この場合，第２取付板８は不要となる。
【図面の簡単な説明】
【図１】この発明の第１の実施の形態による取手構造体を従来の洋式便器に取り付けた状態を示した斜視図である。
【図２】図１で示した取手構造体付近を拡大した斜視図である。
【図３】図２で示したＩＩＩ−ＩＩＩラインの断面図である。
【図４】図２に対応した図であって、取手構造体の取手の位置を変えた状態を示した斜視図である。
【図５】図４で示したＶ−Ｖラインの断面図である。
【図６】従来の洋式便器の外観形状を示した斜視図である。
【符号の説明】
１…洋式便器
２…便器本体
３…便座
４…便蓋
６…取手構造体
７…第１取付板
８…第２取付板
１４…ボルト
１５…ナット
１６…取手
１７…棒状体
１８…係止片
なお、各図中同一符号は同一又は相当部分を示す。
【図１】
0003792173.tif 000002
【図２】
0003792173.tif 000003
【図３】
0003792173.tif 000004
【図４】
0003792173.tif 000005
【図５】
0003792173.tif 000006
【図６】
0003792173.tif 000007